(57)【要約】【課題】 動画撮影時に、それに対応するインデックスデータと静止画とを付加的に記録して、再生時の動画検索時間を短縮する。【解決手段】 判断回路６は、動画撮影スイッチ４と静止画撮影スイッチ５とに応じて、入力された映像信号を所定の形式でディスクに記録するが、動画撮影スイッチ４が操作されたときに限り、動画記録動作のみならず、判断回路６からコード化回路１とインデックスデータ作成回路２とに制御信号が出力され、ダミーの静止画およびインデックスデータを強制記録する。【選択図】  図１
2005287062.tif 000002
【特許請求の範囲】
【請求項１】
静止画と動画とをランダムアクセス記録可能な撮影装置において、
入力された画像信号を静止画と動画とに応じたデータ形式に変換するコード化回路と、
データ変換された静止画または動画の画像信号を記録するよう制御する記録再生制御回路と、
動画撮影時に所望の動画シーン検索用の静止画として、動画撮影開始時の静止画を記録させるよう、または当該動画撮影中に撮影された静止画を前記記録された静止画に上書きして記録させるように前記コード化回路及び記録再生制御回路を制御する判断回路を備えた、
ことを特徴とする撮影装置。
【請求項２】
前記判断回路は、前記動画撮影開始時の静止画については強制的に記録させる
ことを特徴とする請求項１記載の撮影装置。
【請求項３】
前記判断回路は、前記動画撮影開始時の静止画を動画記録に先立って記録させる
ことを特徴とする請求項１または２いずれか１項記載の撮影装置。
【請求項４】
前記判断回路に対して前記動画撮影開始を指示する動画撮影スイッチと、前記判断回路に対して前記上書きされる静止画の撮影を指示する静止画撮影スイッチを備える
ことを特徴とする請求項１記載の撮影装置。
【発明の詳細な説明】
【技術分野】
【０００１】
本発明は、画像の記録再生装置を用いた静止画、及び動画を記録再生可能な撮影装置に関する。
【背景技術】
【０００２】
従来、動画と静止画とが混在して記録可能なシステムであって、画像にインデックスデータを付加するものとして、画像記録媒体をビデオテープとした特開平７−９８９６５号や、特開平６−１１３２５３号等が知られている。特開平７−９８９６５号に開示された技術は、図４に示すように、ビデオテープ上に画像トラックが連続して並んでおり、各トラックにはサブコードエリア４１が設けられ、静止画インデックスをこのエリアに記録する。静止画を撮影するときは自動的に、また動画撮影時には操作者が手動で任意のフレームに対して静止画インデックスを記録するようになっている。
【０００３】
また、特開平６−１１３２５３号に開示された技術は、図５（Ａ）に示すように、ビデオ映像群５１が一連の動画データに対応する画像を、フレーム単位で時間軸方向ｔに並べられている。このビデオ映像群５１は、図中の矢印で示す方向Ｈｔに一種のビデオスライス処理されて同図（Ｃ）に示すように、ビデオインデックス（静止画）が形成される。即ち、フレーム５２上に設定される垂直スリット５４は、水平（Ｈ）方向に所定速度で走査され、フレーム５２の右端部まで達したら、再び左端部（基準位置）からＨ方向に繰返し走査される。従って、垂直スリット５４は時間軸を含めた３次元空間では斜めのＨｔ方向に走査される。垂直スリット５４がビデオ信号群５１をその左端部からＨｔ方向に右端部まで走査し、同図（Ｂ）に示すように、Ｎ枚のフレーム５２を横切る際に、垂直スリット５４によってスリット状画像を複数枚サンプリングして、そのスリット画像を水平方向につなぎ合せることによりビデオインデックス画面を形成する。ここで、Ｌはフレーム５２、即ち画面の水平方向の幅である。
【特許文献１】特開平７−９８９６５号公報
【特許文献２】特開平６−１１３２５３号公報
【発明の開示】
【発明が解決しようとする課題】
【０００４】
特開平７−９８９６５号に示された装置によれば、動画撮影時には操作者が手動で静止画インデックスを付加する必要があり、また、特開平６−１１３２５３号に示された装置により自動形成された静止画は、時間的に異なる複数の動画像をスリット状に切り出し、それらを張り合わせて合成したものであり、例えば動画シーン中で被写体が高速で移動している場合、合成された静止画において被写体像が歪むことがある。
【０００５】
上記課題に鑑み、本発明は静止画と動画とが混在して記録されている撮影装置から所望の動画シーンを容易に検索するために、動画撮影時にダミー静止画を記録することを目的とする。
【課題を解決するための手段】
【０００６】
本発明の撮影装置の一態様は、静止画と動画とをランダムアクセス記録可能な撮影装置において、入力された画像信号を静止画と動画とに応じたデータ形式に変換するコード化回路と、データ変換された静止画または動画の画像信号を記録するよう制御する記録再生制御回路と、動画撮影時に所望の動画シーン検索用の静止画として、動画撮影開始時の静止画を記録させるよう、または当該動画撮影中に撮影された静止画を前記静止画に上書きして記録させるように前記コード化回路及び記録再生制御回路を制御する判断回路を備えた、
ことを特徴とする。
【発明の効果】
【０００７】
本発明を適用した撮影装置によれば、容易に所望の動画シーンにアクセスすることができる。
【発明を実施するための最良の形態】
【０００８】
以下、図面を参照して本発明の実施の形態を説明する。図１において、コード化回路１は、入力された画像信号を静止画と動画とに応じたデータ形式でディスクに書込むためにデータ変換を行い、記録再生制御回路３は、ディスクへの記録再生動作を行い、インデックス作成回路２は、静止画記録に付随するインデックスデータを作成し、判断回路６は、動画撮影スイッチ４と静止画撮影スイッチ５との状態に応じて上記コード化回路１とインデックス作成回路２と記録再生制御回路３とを制御する。
【０００９】
静止画撮影スイッチ５を操作すると、判断回路６からコード化回路１へ画像データを静止画用データに変換する制御信号が出力され、インデックス作成回路２へインデックスデータを作成する制御信号が出力され、記録再生制御回路３へランダムアクセスディスクに画像データ、およびインデックスデータを記録する制御信号が出力され、ディスクには静止画とインデックスデータとが記録される。
【００１０】
動画撮影スイッチ４を操作すると、判断回路６からコード化回路１へ画像データを動画用データへ変換する制御信号が出力され、インデックス作成回路へはインデックスデータを作成する制御信号が出力され、記録再生制御回路３へはランダムアクセスディスクにデータを記録する制御信号が出力され、ディスクには動画が記録されるが、このとき判断回路６は、図２に示すように動画撮影時に強制記録するダミーの静止画データ、およびインデックスデータを、ランダムアクセスディスク上の、記録しようとしている動画の先頭部に記録した後に動画の記録を行い、動画の撮影中に静止画撮影スイッチ５が操作されたときには、上記強制記録した静止画およびインデックスデータ部分に上書き記録する。
【００１１】
なお、本実施形態においては、記録しようとしている動画の先頭部にダミーの静止画データおよびインデックスデータを記録するようにしているが、この記録領域は、ランダムアクセスディスク上のどの位置であっても良く、例えば、図３（Ａ）に示すように、動画データが記録された同一ディスク面内に動画データ記録領域とは別の領域（エリア）に記録しても良く、図３（Ｂ）に示すように、動画データが記録されるディスク面とは反対の面に記録しても良く、図３（Ｃ）に示すように、ランダムアクセスディスクの同一記録面内で所定のトラックを静止画記録専用トラックとして割り当てても良い。
【００１２】
このとき、ダミーの静止画、あるいはインデックスデータに、例えば「その静止画が含まれた動画は、どのトラックが開始点である」といった情報の付加が有効であり、このほかの付加情報として、日付、タイトル、フラグ等が考えられる。さらには、そのデータ自体をインデックスデータとして扱っても良い。また、本実施態様では動画撮影時に強制記録するダミーの静止画、およびインデックスデータを、動画撮影開始時にそれぞれ撮影、記録しているが、動画撮影開始時にダミー静止画撮影のみを行い、ダミーインデックスデータの記録は動画撮影終了時に行っても良い。
【００１３】
本発明の上記実施形態によれば以下の構成が得られる。
（１）ランダムアクセス可能な映像記録ディスクに動画、あるいは静止画を記録する撮影装置において、静止画を記録するとき、その静止画像データと共に、それに対応するインデックスデータを記録することを特徴とする撮影装置。
（２）動画撮影中に強制的に静止画、もしくはインデックスデータを記録することを特徴とする（１）に記載の撮影装置。
（３）上記強制的に静止画、もしくはインデックスデータを記録した後に、静止画記録操作が行われたとき、上記強制的に記録されたデータに上書き記録することを特徴とする（２）に記載の撮影装置。
（４）動画撮影中に静止画の記録を行うとき、動画記録領域の先頭に静止画、もしくはインデックスデータを記録することを特徴とする（１）に記載の撮影装置。
（５）上記インデックスデータの記録領域を画像記録領域と分離したことを特徴とする（１）、（２）、または（４）に記載の撮影装置。
【図面の簡単な説明】
【００１４】
【図１】図１は本発明の実施形態を示すブロック図である。
【図２】図２は静止画およびインデックスデータの記録部位の一例を示す図である。
【図３】図３は静止画およびインデックスデータの記録部位の一例を示す図である。
【図４】図４は従来例の一つを示す略図である。
【図５】図４は従来例の一つを示す略図である。
【符号の説明】
【００１５】
１ コード化回路、２ インデックス作成回路、３ 記録再生制御回路
４ 動画撮影スイッチ、５ 静止画撮影スイッチ、６ 判断回路
４１ サブコード領域、５１ ビデオ映像郡、５２ フレーム
５４ 垂直スリット
【図１】
2005287062.tif 000003
【図２】
2005287062.tif 000004
【図３】
2005287062.tif 000005
【図４】
2005287062.tif 000006
【図５】
2005287062.tif 000007